(57)【特許請求の範囲】
【請求項１】
水槽と、該水槽内に連通された泡沫分離槽と、該泡沫分離槽で処理された水をろ過するろ過槽と、ろ過した水を再び水槽に循環させる循環ポンプ槽と、循環する水を殺菌する殺菌槽とを備えた活魚水槽装置において、
前記水槽と前記泡沫分離槽とは、隔壁で区画されており、該隔壁の下部には、前記水槽と泡沫分離槽とを連通し且つ前記水槽内の底水を泡沫分離槽内に流入させる開口が形成されるとともに、前記隔壁の上部には、前記水槽内の上水を泡沫分離槽内に流入させる上水取装置が設けられ、
前記泡沫分離槽の底部には、気泡を発生させる泡沫分離分散器が設けられ、
前記泡沫分離槽の上部には、泡沫分離カバーが設けられ、該泡沫分離カバーの一方が、前記泡沫分離槽内に貯留されている水内に望むように、泡沫分離槽内に向けて傾斜しており、前記泡沫分離カバーには、前記泡沫分離分散器により発生し、且つ汚泥を吸着した状態で泡沫分離槽の上部に蓄積された汚泥の気泡を外部に流出させる汚泥排出管が連結されていることを特徴とする活魚水槽装置。
【請求項２】
前記請求項１に記載の活魚水槽装置において、前記上水取装置は、前記隔壁の上部に形成した開口部に、水面を浮遊するフロートがアームを介して揺動自在に設けられてなる活魚水槽装置。
【発明の詳細な説明】
【技術分野】
【０００１】
本発明は、活魚水槽装置に関する。
【背景技術】
【０００２】
従来、この種の活魚水槽装置は、活魚等を入れる水槽と、該水槽内に連通された泡沫分離槽と、泡沫分離槽で処理された水をろ過するろ過槽と、ろ過した水を再び水槽に循環させる循環ポンプ槽と、水を殺菌する殺菌槽とを備えている（例えば、特許文献１参照）。
【０００３】
活魚水槽装置の水槽に貯留されている海水は、餌の食べ残しや活魚等の排泄物等の汚泥を除去する必要がある。そこで、前記特許文献１の活魚水槽装置は、水槽の底部に設けられた吸引用の目皿から海水が取水され、泡沫分離槽に送水される。そして、この水槽の底部から送水される海水とともに汚泥も泡沫分離槽に入る構成である。
【特許文献１】実用新案登録第３１０７０６０号公報
【発明の開示】
【発明が解決しようとする課題】
【０００４】
前記特許文献１の活魚水槽装置は、水槽の底部に沈む固形状の汚泥は、海水とともに吸引用の目皿から排出されるが、海水よりも比重の小さい汚泥は、水槽の底部から外部に排出できないため、水面を浮遊し泡状態の浮遊物となって蓄積される欠点がある。このため、従来では、作業者が人為的にその浮遊物を除去していた。
【０００５】
本発明は、水槽内の底部に存在する汚泥と、水槽内の水面に浮遊する汚泥とを泡沫分離槽に集めて効率よく除去し、水質の浄化を図ることを課題とする。
【課題を解決するための手段】
【０００６】
本発明は、前記課題を解決するためになされたもので、その特徴は、水槽と、該水槽内に連通された泡沫分離槽と、該泡沫分離槽で処理された水をろ過するろ過槽と、ろ過した水を再び水槽に循環させる循環ポンプ槽と、循環する水を殺菌する殺菌槽とを備えた活魚水槽装置において、前記水槽と前記泡沫分離槽とは、隔壁で区画されており、該隔壁の下部には、前記水槽と泡沫分離槽とを連通し且つ前記水槽内の底水を泡沫分離槽内に流入させる開口が形成されるとともに、前記隔壁の上部には、前記水槽内の上水を泡沫分離槽内に流入させる上水取装置が設けられ、前記泡沫分離槽の底部には、気泡を発生させる泡沫分離分散器が設けられ、前記泡沫分離槽の上部には、泡沫分離カバーが設けられ、該泡沫分離カバーの一方が、前記泡沫分離槽内に貯留されている水内に望むように、泡沫分離槽内に向けて傾斜しており、前記泡沫分離カバーには、前記泡沫分離分散器により発生し、且つ汚泥を吸着した状態で泡沫分離槽の上部に蓄積された汚泥の気泡を外部に流出させる汚泥排出管が連結されていることにある。
【０００７】
前記本発明の活魚水槽装置の水槽内の底水は、開口を介して泡沫分離槽に流入する。このとき、水槽の底部に沈んでいた汚泥も底水とともに泡沫分離槽に入る。また、水槽内の上水は、上水取装置により泡沫分離槽に吸水されるため、水の水面に浮遊する汚泥は、上水とともに泡沫分離槽に入る。
【０００８】
泡沫分離槽は、底水とともに流入した汚泥と、上水とともに流入した汚泥とを気泡で吸着し、浮遊する気泡を外部に排出する。泡沫分離槽で分離されなかった汚泥は、海水とともにろ過槽に入り、ろ過槽でろ過される。
【０００９】
本発明の活魚水槽装置の前記上水取装置は、前記隔壁の上部に形成した開口部に、水面を浮遊するフロートがアームを介して揺動自在に設けられてなるものである。かかる装置は、フロートが水槽内の水面高さに応じて上下に移動することにより、汚泥の泡と上水とを泡沫分離槽に優先的に吸い込むことができる。また、フロートがアームを介して揺動自在に設けられるという簡単な構成である。
【発明の効果】
【００１０】
本発明は、水槽内の底水と上水とを泡沫分離槽に取り入れることにより、水槽底部の汚泥と水槽内の水面に浮遊する汚泥とを、一箇所で効率よく処理することができる。
【発明を実施するための最良の形態】
【００１１】
以下、本発明に係る活魚水槽装置の実施の形態について、図面を参照しながら説明する。図１〜図９は、本発明の一実施の形態を示す。
【００１２】
図７〜図９において、活魚水槽装置１は、生きた魚等を数日間一時的にストックさせておくもので、平面視矩形状を呈するとともに断熱性を有する水槽装置本体７を備えている。水槽装置本体７は、前後側壁１１、１２と、左右側壁１３、１４と、底壁１５とからなる。この水槽装置本体７は、水槽２、泡沫分離槽３、ろ過槽４、ポンプ槽５および殺菌槽６に区画されている。なお、泡沫分離槽３、ろ過槽４、ポンプ槽５および殺菌槽６は、水槽装置本体７の長手方向の一方側（図７に示す右側）に配置されており、水処理槽を構成している。
【００１３】
水槽２と泡沫分離槽３とは、図１、図２、図６および図７に示すように水槽装置本体７の前後側壁１１、１２間にわたって設けられた隔壁３１で区画されており、その隔壁３１の下部には、水槽２と泡沫分離槽３と連通する開口（下水流出スリット）３２が形成されている。従って、水槽２内の海水は、この下水流出スリット３２を介して泡沫分離槽３内に流入するようになっている。なお、この下水流出スリット３２は、水槽装置本体７の前側壁１１の近傍に形成されている。
【００１４】
泡沫分離槽３の上部には、図１に示すように泡沫分離カバー３０が設けられ、泡沫分離カバー３０の一方が泡沫分離槽３内に向けて傾斜しており、泡沫分離槽３内に貯留されている海水内に望むようになっている。泡沫分離槽３の底部には、泡沫分離分散器３４が設けられている。泡沫分離分散器３４は、水槽装置本体７に架設された機械台８に設置されたエアーポンプ（ブロワー）３３により、空気を送り微細な気泡を発生させるものである。
【００１５】
泡沫分離カバー３０には、泡沫分離分散器３４により発生し泡沫分離槽３の上部に蓄積された汚泥の気泡３５を外部に流出させる汚泥排出管３６が連結されている。
【００１６】
隔壁３１の上部には、水槽２内の上水を泡沫分離槽３に流入させる上水取装置３７が設けられている。この上水取装置３７は、図１および図４に示すように、隔壁３１の上部を切り欠いて形成した開口３８部に取り付けられる取付体３７ｂと、この取付体３７ｂに一対のアーム３９を介して揺動自在に設けられたフロート３７ａとから構成されている。
【００１７】
取付体３７ｂは、左右一対の側壁３７ｃ、３７ｃと、両方の側壁３７ｃ、３７ｃの一端を連結する基壁３７ｄとからなる。基壁３７ｄには、海水が通過する開口３７ｅが形成されている。フロート３７ａは、円柱状を呈しており、両方の側壁３７ｃ、３７ｃ間に位置するとともに、その端面が側壁３７ｃ、３７ｃに近接する長さに設定されている。
【００１８】
アーム３９は、海水の流れる下流側に向けてかつ上下方向に揺動するように、その一端が取付体３７ｂに連結され、他端がフロート３７ａの両端部に連結されている。そして、このフロート３７ａが水槽２内の水面高さに応じて上下に移動することにより、汚泥の泡と上水を泡沫分離槽３に優先的に吸い込むことができる。
【００１９】
フロート３７ａは、浮力により水面近傍を浮遊するようになっており、水位が変化しても、上水を常時吸水することができる。このように、水槽２内の底水と上水とを泡沫分離槽３に取り入れることにより、一箇所で最終的に効率よく処理することができる。
【００２０】
泡沫分離槽３とろ過槽４とは、水槽装置本体７の前後側壁１１、１２間にわたって設けられた隔壁４０で区画されている。隔壁４０には、泡沫分離槽３とろ過槽４とを連通するろ過槽流入口４１が形成されている。
【００２１】
ろ過槽４は、その内部の下方に通水する各種形状の通孔を設けた多孔板４２が敷設されている。この多孔板４２の上面には、砂等の各種のろ材４３が積層して収容されている。また、隔壁４０には、図３および図６に示す如く、ろ過槽流入口４１に連通する筒状体４４がろ過槽４内に望むように設けられ、この筒状体４４には、袋状に形成されたフィルター４５の口部４５ａが、着脱自在に取り付けられている。このフィルター４５はろ材４３の上面に設けられている。
【００２２】
ろ過槽４の底部と多孔板４２との間で形成される空間４７が、隣接するポンプ槽５に連通されており、ろ材４３でろ過された海水は、空間４７を流れてポンプ槽５に流入するようになっている。また、空間４７内には、洗浄用空気配管４６が設けられ、この洗浄用空気配管４６は、前記ブロワー３３または別途設置される図示省略の専用ブロワーから圧送される空気により、ろ材４３を浮遊させて洗浄するものである。
【００２３】
ポンプ槽５には、その内部に海水を吸上げる縦型の軸流ポンプからなる循環ポンプ５０が設けられている。また、機械台８には、クラー５１およびヒーター（図示省略）の少なくとも一方が設置されている。
【００２４】
機械台８には、ブロワー３３、循環ポンプ５０およびクラー５１（またはヒーター）を制御する制御装置５５が設けられている。そして、ポンプ槽５内の海水は、クラー５１により冷却されるか、あるいはヒーターにより加熱されて設定水温を維持するように制御されている。循環ポンプ５０の流出口部５１は、ＵＶ殺菌槽６に向かって延設配管されており、ポンプ槽５内の海水は、循環ポンプ５０によりＵＶ殺菌槽６に流入するようになっている。
【００２５】
殺菌槽６には、図５に示すようにＵＶランプ６０を備えた殺菌装置６１が設けられている。殺菌槽６は、前記隔壁３１で水槽２と区画されているとともに、長尺状の送水管２０を介して前記水槽２と連通されている。
【００２６】
送水管２０は、後側壁１２の内面上部でかつ水槽装置本体７の長手方向に沿って取り付けられている。なお、送水管２０の高さ位置は、特に限定されるものではないが、水槽２内に貯留された海水に浸漬する高さに設定する。
【００２７】
送水管２０の一端は殺菌槽６と連通するとともに、他端は左側壁１４に当接または接近して閉塞されており、水槽２の長手方向（左右方向）の全長にわたって送水路が構成されている。送水管２０の他端部には、図７に示すように排水口２１が形成され、この排水口２１は、前記下水流出スリット３２に対して水槽２の平面視略対角線上に設けられている。また、排水口２１は海水の上部に位置し、下水流出スリット３２は、海水の底部に位置するため、水槽２内の海水を効果的に対流させることができる。
【００２８】
本実施の形態の活魚水槽装置１は、以上の構成からなり、次にその装置の作用について説明する。
【００２９】
先ず、循環ポンプ５０を始動してポンプ槽５内の海水を殺菌槽６に注入する。このポンプ槽５内の海水は、クラー５１またはヒーターにより、設定水温（例えば略１８℃）に冷却または加熱され維持されている。
【００３０】
殺菌槽６の内部において流水中に浮遊するバクテリア、細菌及びその他の微生物を効率的に死滅させ処理する。処理され且つ設定水温に維持された海水は殺菌槽６の上部より送水管２０に流入する。この送水管２０は、断熱性を有する水槽２内の海水に浸漬されていることから、外気温度の影響を受けることはなく、熱ロスのおそれがない。
【００３１】
送水管２０を通った海水は、排出口２１から水槽２内に排出される。水槽２内の海水は、水槽２の底部にある下水流出スリット３２を介して泡沫分離槽３に流入する。このとき、水槽２の底部に沈んでいる汚泥も海水とともに泡沫分離槽３に流入することとなる。また、上水取装置３７により水槽２の水面の汚泥の泡３５ａと上水が、優先的に泡沫分離槽３に吸い込まれる。
【００３２】
泡沫分離槽３において、泡沫分離分散器３４により気泡が発生し、底水とともに流入した汚泥と、上水とともに流入した汚泥とを気泡で吸着し水面に浮遊させる。泡沫分離槽３の上部に蓄積された汚泥の気泡３５を汚泥排出管３６が外部に流出させる。
【００３３】
泡沫分離槽３内の海水に混在する大きい汚泥は、泡沫分離分散器３４から発生する気泡により海水の略中間を浮遊し、筒状体４４を通過してフィルター４５によって排除される。この汚泥が排除された海水は、次のろ過槽４の上部より、内部のろ材４３及び多孔板４２にろ過され、ポンプ槽５に流入する。設定水温に制御された海水は、再びろ過工程、殺菌工程を経て循環する。
【００３４】
以上のように、本実施の形態に係る活魚水槽装置１は、水槽２内の底水と上水とを泡沫分離槽に取り入れることにより、水槽２内の汚泥を泡沫分離槽３の一箇所で効率よく最終的に処理することができる。
【００３５】
本発明は、前記実施の形態に限定されるものではない。水槽には、海水以外に通常の水であってもよく、水槽２に入れられる魚等の種類により適宜決定される。
【図面の簡単な説明】
【００３６】
【図１】本発明の一実施の形態に係る活魚水槽装置の断面側面図である。
【図２】図１におけるＢ−Ｂ線断面図である。
【図３】本発明の一実施の形態に係る活魚水槽装置の要部の概略を示す平面図である。
【図４】上水取装置の斜視図である。
【図５】図８におけるＡ−Ａ線断面図である。
【図６】図１におけるＣ−Ｃ線断面図である。
【図７】本発明の一実施の形態に係る活魚水槽装置の全体概略平面図である。
【図８】同活魚水槽装置の全体概略正面図である。
【図９】同活魚水槽装置の全体概略側面図である。
【符号の説明】
【００３７】
１      活魚水槽システム
２      水槽
３      泡沫分離槽
４      ろ過槽
５      ポンプ槽
６      殺菌槽
７      水槽装置本体
２０    送水管
３１    隔壁
３２    下水流出スリット（開口）
３７    上水取装置
３７ａ  フロート
３９    アーム
【図１】
0004909194.tif 000002
【図２】
0004909194.tif 000003
【図３】
0004909194.tif 000004
【図４】
0004909194.tif 000005
【図５】
0004909194.tif 000006
【図６】
0004909194.tif 000007
【図７】
0004909194.tif 000008
【図８】
0004909194.tif 000009
【図９】
0004909194.tif 000010